(57)【要約】【課題】  キー入力動作を簡略化して手間を省き、簡易な操作で異なった機能同士の相互リンクを実現可能な携帯電話機を提供する。【解決手段】  ユーザは、（ａ）に示す画面において、この電子メール内容をスケジュールへ登録したい場合、画面右下の「フォーム」に割り当てたキーを押下する。携帯電話機の制御回路部は電子メールの本文をキーワードで検索し、その結果を（ｂ）に示す確認フォーム画面へ表示する。ユーザが確認フォーム画面に表示された内容でスケジュールへ登録したい場合、（ｂ）に示す確認フォーム画面の左下の「登録」に割り当てたキーを押下すると、制御回路部はその結果を、（ｃ）に示すスケジュール画面に表示する。また、ユーザが、（ｂ）に示す確認フォーム画面から、再び（ａ）に示す電子メール画面へ戻りたい場合、（ｂ）に示す確認フォーム画面の右下の「メール」に割り当てたキーを押下する。【選択図】      図３
2007079880.tif 000002
【特許請求の範囲】
【請求項１】
搭載している機能を使用する際の画面を直前の画面を閉じてから表示する携帯電話機であって、電子メール本文から予め登録されているキーワードに一致した単語を抽出する手段と、その抽出した情報を次に使用する機能の当該情報を確認するための確認フォーム画面に表示する手段と、予め設定された決定キー押下時に前記抽出した情報を前記次に使用する機能に反映する手段と、予め設定された修正キー押下時に前記抽出した情報を修正用の修正フォーム画面上に表示する手段とを有することを特徴とする携帯電話機。
【請求項２】
予め設定された切替えキー押下時に前記確認フォーム画面と前記電子メール本文を表示する画面とを切替える手段を含むことを特徴とする請求項１記載の携帯電話機。
【請求項３】
前記電子メールは、受信メール及び送信メールのいずれかであることを特徴とする請求項１または請求項２記載の携帯電話機。
【請求項４】
前記単語を抽出する手段は、前記次に使用する機能がスケジュールを管理するスケジュール機能の場合、前記スケジュールの登録に必要な情報を抽出することを特徴とする請求項１から請求項３のいずれか記載の携帯電話機。
【請求項５】
前記単語を抽出する手段は、前記次に使用する機能が電子メールの転送を行う機能の場合、前記電子メールの要約に必要な情報を抽出し、
前記抽出した情報を前記次に使用する機能に反映する手段は、抽出した前記要約に必要な情報が付与された新規メールを作成することを特徴とする請求項１から請求項３のいずれか記載の携帯電話機。
【請求項６】
搭載している機能を使用する際の画面を直前の画面を閉じてから表示する携帯電話機に用いる搭載機能連携方法であって、前記携帯電話機が、電子メール本文から予め登録されているキーワードに一致した単語を抽出する処理と、その抽出した情報を次に使用する機能の当該情報を確認するための確認フォーム画面に表示する処理と、予め設定された決定キー押下時に前記抽出した情報を前記次に使用する機能に反映する処理と、予め設定された修正キー押下時に前記抽出した情報を修正用の修正フォーム画面上に表示する処理とを実行することを特徴とする搭載機能連携方法。
【請求項７】
前記携帯電話機が、予め設定された切替えキー押下時に前記確認フォーム画面と前記電子メール本文を表示する画面とを切替える処理を実行することを特徴とする請求項６記載の搭載機能連携方法。
【請求項８】
前記電子メールは、受信メール及び送信メールのいずれかであることを特徴とする請求項６または請求項７記載の搭載機能連携方法。
【請求項９】
前記単語を抽出する処理は、前記次に使用する機能がスケジュールを管理するスケジュール機能の場合、前記スケジュールの登録に必要な情報を抽出することを特徴とする請求項６から請求項８のいずれか記載の搭載機能連携方法。
【請求項１０】
前記単語を抽出する処理は、前記次に使用する機能が電子メールの転送を行う機能の場合、前記電子メールの要約に必要な情報を抽出し、
前記抽出した情報を前記次に使用する機能に反映する処理は、抽出した前記要約に必要な情報が付与された新規メールを作成することを特徴とする請求項６から請求項８のいずれか記載の搭載機能連携方法。
【請求項１１】
搭載している機能を使用する際の画面を直前の画面を閉じてから表示する携帯電話機に用いる搭載機能連携方法のプログラムであって、前記携帯電話機のコンピュータに、電子メール本文から予め登録されているキーワードに一致した単語を抽出する処理と、その抽出した情報を次に使用する機能の当該情報を確認するための確認フォーム画面に表示する処理と、予め設定された決定キー押下時に前記抽出した情報を前記次に使用する機能に反映する処理と、予め設定された修正キー押下時に前記抽出した情報を修正用の修正フォーム画面上に表示する処理とを実行させるためのプログラム。
【発明の詳細な説明】
【技術分野】
【０００１】
本発明は携帯電話機及びそれに用いる搭載機能連携方法並びにそのプログラムに関し、特に携帯電話機に搭載される電子メール機能やスケジュール機能の連携方法に関する。
【背景技術】
【０００２】
近年、携帯電話機においては、搭載される機能が多様化しており、それらの機能を個別に一つ一つ設定するのに手間がかかっている。そのため、携帯電話機に対しては、これらの機能同士をリンクさせ、少しでもユーザの負荷を軽減させる工夫が求められている。
【０００３】
特に、電子メール機能やスケジュール機能はキャリアを問わず、ほとんどの携帯電話機に標準で実装されているが、現状では、それらの機能が個別に用いられており、それらの連携を図る機能は実現されていない。
【０００４】
パーソナルコンピュータ等のデータ処理装置においては、電子メールソフトウェアで受信した受信メールの内容をスケジュール管理ソフトウェアに反映させることで、それらの連携を図る方法が提案されている（例えば、特許文献１参照）。
【０００５】
【特許文献１】特開２０００−０２０４６５号公報
【発明の開示】
【発明が解決しようとする課題】
【０００６】
上述した従来の携帯電話機では、相手先との電子メールのやりとりで予定が決まったら、その内容をスケジュール機能へ登録したい場合、現状において、ユーザが電子メールの内容を控えて電子メール画面を閉じ、改めてスケジュール画面を開いて入力する必要があり、手間がかかるという問題がある。
【０００７】
また、従来の携帯電話機では、上記のスケジュール画面への入力の途中で、電子メールの内容を忘れて確認したい場合、スケジュール画面を閉じ、再度、電子メール画面を開いてその内容を見なければならない。尚、従来の携帯電話機には、スケジュール参照登録のように、受信メールの本文を閲覧しながらスケジュールを入力することができる機能を搭載するものもあるが、その場合でも、全てのスケジュールの項目についてユーザが入力しなければならず手間がかかってしまう。さらに、従来の携帯電話機では、送信したメールからは参照入力ができず、不便である。
【０００８】
一方、上記の特許文献１に記載の技術では、複数のアプリケーションソフトウェアを同時に実行可能で、しかも同一画面上に複数の入力画面を同時に表示可能な装置におけるものであり、携帯電話機では、高性能のＣＰＵを搭載することも、大容量のメモリを搭載することも難しいため、複数のアプリケーションソフトウェアを同時に実行したり、同一画面上に複数の入力画面を同時に表示したりすることが困難であり、特許文献１に記載の技術を適用することが難しい。したがって、特許文献１に記載の技術では、従来の携帯電話機における上記の問題を解決することはできない。
【０００９】
そこで、本発明の目的は上記の問題点を解消し、キー入力動作を簡略化して手間を省くことができ、簡易な操作で異なった機能同士の相互リンクを実現することができる携帯電話機及びそれに用いる搭載機能連携方法並びにそのプログラムを提供することにある。
【課題を解決するための手段】
【００１０】
本発明による携帯電話機は、搭載している機能を使用する際の画面を直前の画面を閉じてから表示する携帯電話機であって、電子メール本文から予め登録されているキーワードに一致した単語を抽出する手段と、その抽出した情報を次に使用する機能の当該情報を確認するための確認フォーム画面に表示する手段と、予め設定された決定キー押下時に前記抽出した情報を前記次に使用する機能に反映する手段と、予め設定された修正キー押下時に前記抽出した情報を修正用の修正フォーム画面上に表示する手段とを備えている。
【００１１】
本発明による搭載機能連携方法は、搭載している機能を使用する際の画面を直前の画面を閉じてから表示する携帯電話機に用いる搭載機能連携方法であって、前記携帯電話機が、電子メール本文から予め登録されているキーワードに一致した単語を抽出する処理と、その抽出した情報を次に使用する機能の当該情報を確認するための確認フォーム画面に表示する処理と、予め設定された決定キー押下時に前記抽出した情報を前記次に使用する機能に反映する処理と、予め設定された修正キー押下時に前記抽出した情報を修正用の修正フォーム画面上に表示する処理とを実行している。
【００１２】
本発明による搭載機能連携方法のプログラムは、搭載している機能を使用する際の画面を直前の画面を閉じてから表示する携帯電話機に用いる搭載機能連携方法のプログラムであって、前記携帯電話機のコンピュータに、電子メール本文から予め登録されているキーワードに一致した単語を抽出する処理と、その抽出した情報を次に使用する機能の当該情報を確認するための確認フォーム画面に表示する処理と、予め設定された決定キー押下時に前記抽出した情報を前記次に使用する機能に反映する処理と、予め設定された修正キー押下時に前記抽出した情報を修正用の修正フォーム画面上に表示する処理とを実行させている。
【００１３】
すなわち、本発明の携帯電話機は、受信メール又は送信メールの本文にある単語からどのような内容かを自動的に判断し、それを簡単なユーザ操作でスケジュール機能へ登録させ、スケジュール機能の操作性の向上を図っている。
【００１４】
より具体的に説明すると、本発明の携帯電話機では、搭載機能を使用する際の画面を直前の画面を閉じてから表示する機器において、電子メールの本文から予め登録されているキーワードに一致した単語を抽出し、その抽出した情報をスケジュール登録用フォーム画面に表示し、それがユーザが意図するものであれば、その抽出した情報を決定キー押下時にスケジュール機能へと登録し、ユーザが意図するものと違っていたら、その抽出した情報を修正用フォーム画面上に表示して修正可能としている。
【００１５】
さらに、本発明の携帯電話機では、確認フォーム画面上の内容確認のために、電子メールの本文を参照したい場合、切替え用に割り当てたキーの押下することで、容易に電子メール画面と確認フォーム画面との切替えを可能としている。
【００１６】
これによって、本発明の携帯電話機では、電子メールの文章からスケジュールを作成する操作において、電子メールの本文から予め登録されているキーワードを抽出し、それによって抽出されたスケジュール登録に必要な情報を予め確認フォーム画面上に表示することで、ユーザ操作をサポートし、キー入力動作を簡略化して手間を省くことが可能となる。
【００１７】
また、本発明の携帯電話機では、簡易な操作で異なった機能同士の相互リンク（連携）を実現し、ユーザビリティを高めている。さらに、本発明の携帯電話機では、検索に用いるキーワードに対してユーザが任意の単語の追加を可能とすることで、利便性を向上させている。
【発明の効果】
【００１８】
本発明は、以下に述べるような構成及び動作とすることで、キー入力動作を簡略化して手間を省くことができ、簡易な操作で異なった機能同士の相互リンクを実現することができるという効果が得られる。
【発明を実施するための最良の形態】
【００１９】
次に、本発明の実施例について図面を参照して説明する。図１は本発明の一実施例による携帯電話機の内部構成例を示すブロック図である。図１において、携帯電話機１はアンテナ１１と、レシーバ１２と、ＬＣＤ（Ｌｉｑｕｉｄ  Ｃｒｙｓｔａｌ  Ｄｉｓｐｌａｙ）表示部１３と、キー入力部１４と、マイク１５と、カメラ１６と、記憶装置１７と、制御回路部１８と、外部記憶装置１９と、発光部２０と、ＭＳ赤外線装置２１とから構成されている。
【００２０】
携帯電話機１では、アンテナ１１にて通信相手からの音声データを電波として受信し、制御回路部１８を介してディジタル／アナログ変換された音声が、レシーバ１２から通信相手の音声として送出される。また、マイク１５へ入力されたユーザの音声は、制御回路部１８を介してアナログ／ディジタル変換され、アンテナ１１から電波として送信される。
【００２１】
キー入力部１４を用いてユーザが入力したデータは、制御回路部１８にてどのようなデータかが解析され、その結果がＬＣＤ表示部１３において、ユーザが視覚的に分かるように表示される。
【００２２】
カメラ撮影時においては、カメラ１６を通じて入力された画像は、制御回路部１８を介してＬＣＤ表示部１３にカメラ１６のファインダ機能として表示される。また、記憶装置１７はユーザが取得したユーザデータ（通信相手からの適すとデータや画像データ、カメラ１６にて取得した画像データ等）を記憶する装置であり、制御回路部１８が実行するコンピュータで実行可能なプログラムも記憶している。さらに、記憶装置１７に記憶されたユーザデータは、制御回路部１８を介して外部記憶装置１９へも保存可能である。
【００２３】
発光部２０は、制御回路部１８で指定された発光色にて点灯を行う。赤外線通信においては、制御回路部１８にて生成された出力波形がＭＳ赤外線装置２１から送出され、また波形受信時にはその波形をＭＳ赤外線装置２１にて受光し、受信データとして制御回路部１８へ送られる。制御回路部１８は記憶装置１７に記憶されたプログラムを実行することで、自回路に接続される各装置を統括的に制御するとともに、各種機能（例えば、電子メール機能やスケジュール機能等）を提供する回路である。
【００２４】
図２は本発明の一実施例による携帯電話機１の構成を示すブロック図である。図２（ａ）は本実施例による携帯電話機１を正面から見た図であり、図２（ｂ）は本実施例による携帯電話機１を背面から見た図である。
【００２５】
これらの図２（ａ），（ｂ）において、アンテナ１１は通信において無線電波を送受信するための装置である。レシーバ１２は通信相手の音声を出力する装置である。ＬＣＤ表示部１３は、携帯電話機１の機能に関する各種情報を表示する装置であり、カメラ撮影モード時ではファインダとしての機能を有している。
【００２６】
キー入力部１４は携帯電話機１におけるユーザインタフェース部のうち、数字や文字を入力する際に使用する装置である。マイク１５は通話時に自分の音声を入力する装置である。カメラ１６は写真を撮るための機能を実装する装置である。外部記憶装置１９はユーザデータ保存用の外部記憶媒体を表しており、携帯電話機１本体に着脱可能である。発光部２０は着信があった時等に点灯してユーザに知らせる装置である。ＭＳ赤外線装置２１は赤外線通信や赤外線リモコンの機能を実装する装置である。
【００２７】
図３は本発明の一実施例におけるメール画面とスケジュール確認フォーム画面とを説明するための図であり、図４は本発明の一実施例においてスケジュール確認フォームを作成する動作を説明するための図であり、図５は本発明の一実施例においてスケジュール確認フォームを修正する動作を説明するための図である。これら図１〜図５を参照して本発明の一実施例による携帯電話機１の動作について説明する。
【００２８】
図３（ａ）は受信した電子メールの本文を表示している画面を表している。図３（ｂ）はスケジュール登録を行う際の確認フォームの表示画面を表している。図３（ｃ）は登録後のスケジュール画面を表している。ここで、本実施例では、スケジュールへ登録するのに必要な情報として“日時”、“人”、“場所”、“目的”の４項目を例としている。
【００２９】
ユーザは、図３（ａ）に示す画面において、この電子メール内容をスケジュールへ登録したい場合、画面右下の「フォーム」に割り当てたキー［図２（ａ）のキー入力部１４の「Ｃ」キー］を押下する。携帯電話機１の制御回路部１８は電子メールの本文をキーワードで検索し、その結果を図３（ｂ）に示す確認フォーム画面へ表示する。ここで、キーワードは携帯電話機１の記憶装置１７にデフォルトで登録されており、ユーザ操作で任意の単語をキーワードとして追加することができる。このキーワードを追加する場合の動作については後述する。
【００３０】
ユーザが確認フォーム画面に表示された内容でスケジュールへ登録したい場合、図３（ｂ）に示す確認フォーム画面の左下の「登録」に割り当てたキー［図２（ａ）のキー入力部１４の「Ａ」キー）を押下する。すると、制御回路部１８はその結果を、図３（ｃ）のスケジュール画面に表示する。
【００３１】
また、ユーザが、図３（ｂ）の確認フォーム画面から、再び図３（ａ）の電子メール画面へ戻りたい場合、図３（ｂ）の確認フォーム画面の右下の「メール」に割り当てたキー［図２（ａ）のキー入力部１４の「Ｃ」キー］を押下する。
【００３２】
図４（ａ）は受信メールの表示画面を表しており、その内容は図３（ａ）に示す内容と同様である。図４（ｂ）は確認フォーム画面を作成するために必要な項目のマトリクス表を表している。
【００３３】
このマトリクス表のカテゴリ列は確認フォームに表示される４つの項目（“日時”、“人”、“場所”、“目的”）を示している。表示用バッファ列は確認フォームの各カテゴリに実際に表示される内容を示している。キーワード列は電子メール本文を検索するキーワード群を示している。
【００３４】
図４（ａ）において、ユーザが受信メールの表示画面の右下の「フォーム」に割り当てたキー［図２（ａ）のキー入力部１４の「Ｃ」キー］を押下すると、携帯電話機１の制御回路部１８はキーワード検索処理を行う。電子メール本文中の単語を検索するアルゴリズムに関しては、汎用的な検索エンジンが普及しているため、ここではその動作について特に言及しない。
【００３５】
まず、制御回路部１８は、「日時カテゴリ」について、日付に関わる単語を電子メール本文中から検索する。本実施例では、“明日”と“午後２時３０分”という単語がヒットしたとする。そして、制御回路部１８は、これらの単語と受信メールの日付とから実際の予定日時を算出する。ここでは、“明日”という単語から受信メールの「２００５年６月２１日」に対して「２００５年６月２２日」という日時が得られる。
【００３６】
その後に、制御回路部１８は、図４（ｂ）のマトリクス表の「日時表示バッファ」へ“２００５／６／２２（水）１４：３０”という値を格納する。「日時カテゴリ」に関しては、ヒットした単語から実際の予定日時を算出する処理が入るため、キーワードへの追加を行わないものとする。
【００３７】
次に、制御回路部１８は、「人カテゴリ」について、電子メール本文中の検索を行わず、電子メールの送信元あるいは送信先を参照する。本実施例では、「日電  太郎」という名前が「表示用バッファ」に格納される。
【００３８】
さらに、制御回路部１８は、“場所”についてもキーワードにヒットする単語があるかを、電子メール本文から検索する。本実施例では、「Ａ会議室」という単語がヒットしたものとし、図４（ｂ）のマトリクス表の「場所表示用バッファ」には「Ａ会議室」の単語が格納される。ここで、電子メール本文中にキーワードにヒットする単語が複数存在する場合には、電子メール本文の一番最後にある単語を「表示用バッファ」に入れるものとする。また、逆にキーワードにヒットする単語が存在しなかった場合には、何も表示しないものとする。
【００３９】
さらにまた、制御回路部１８は、“目的”に関しても、上記と同様の検索を行う。本実施例では、“打ち合わせ”という単語がヒットしたものとし、図４（ｂ）のマトリクス表の「目的表示用バッファ」には「打ち合わせ」の単語が格納される。
【００４０】
図５（ａ）は修正前の確認フォームの表示画面を表しており、図５（ｂ）は修正フォームの表示画面を表しており、図５（ｃ）は「場所カテゴリ」の修正を行った場合のマトリクス表の一部を表しており、図５（ｄ）は修正後の確認フォームの表示画面を表している。
【００４１】
図５（ａ）の表示画面において、ユーザが修正を行いたい場合、上下キー［図２（ａ）のキー入力部１４の「△」，「▽」キー］にて修正したいカテゴリへカーソルを移動させ、表示画面の下中央の「修正」に割り当てたキー［図２（ａ）のキー入力部１４の「Ｂ」キー］を押下する。本実施例では、「場所カテゴリ」の内容を修正するものとする。
【００４２】
次に、図５（ｂ）の修正フォーム画面へ遷移したら、文字入力キー［図２（ａ）のキー入力部１４の「０」〜「９」及び「＊」，「＃」キー］にて所望の単語を入力するか、修正フォーム画面に表示されるキーワード群から所望の単語を選択する。ここで、入力した単語がキーワード群になかったら、その単語を新たにキーワードとして追加する。本実施例例では、「Ｂ会議室」を入力し、キーワード群になかったので、図５（ｃ）において「表示用バッファ」に「Ｂ会議室」が格納され、キーワード群へ「Ｂ会議室」が追加されたことを示している。図５（ｄ）は「場所カテゴリ」の修正を反映した確認フォーム画面を示している。
【００４３】
図６は本発明の一実施例による携帯電話機１の動作を示すフローチャートである。これら図１〜図７を参照して本発明の一実施例による携帯電話機１の動作について説明する。以下、スケジュール登録用の確認フォームの作成処理について説明する。尚、図７に示す動作は制御回路部１８が記憶装置１７のプログラムを実行することで実現される。
【００４４】
まず、ユーザが受信メール又は送信メールの表示画面を開き（図６ステップＳ１）、その電子メールの内容をスケジュール登録するために、携帯電話機１のキー入力部１４に割り当てた「フォーム」キーを押下すると（図６ステップＳ２）、携帯電話機１の制御回路部１８は電子メール本文に対してキーワード検索処理を行う（図６ステップＳ３）。
【００４５】
制御回路部１８はキーワード検索処理の検索結果を基に確認フォーム画面を表示する（図６ステップＳ４）。ユーザがその確認フォーム画面を見て、この内容でスケジュールへ登録するために、キー入力部１４に割り当てた「登録」キーを押下すると（図６ステップＳ５）、制御回路部１８は確認フォーム画面の内容をスケジュールへ登録する（図６ステップＳ６）。
【００４６】
また、確認フォーム画面から再び電子メールの表示画面へ戻るために、携帯電話機１のキー入力部１４に割り当てた「メール」キーを押下すると（図６ステップＳ７）、制御回路部１８は確認フォーム画面を閉じて、電子メールの表示画面を表示し、ステップＳ２にてキー入力部１４に割り当てた「フォーム」キーの押下を待つ。
【００４７】
さらに、確認フォーム画面に対して修正を行うために、キー入力部１４に割り当てた「修正」キーを押下すると（図６ステップＳ８）、制御回路部１８は確認フォーム画面を閉じて、修正フォーム画面へ遷移する（図６ステップＳ９）。
【００４８】
ユーザがこの修正フォーム画面で、選択したカテゴリに所望の単語を入力もしくは表示されるキーワード群から所望の単語を選択すると（図６ステップＳ１０）、制御回路部１８は入力した単語がキーワードに登録されているかを判断し（図６ステップＳ１１）、登録されていなけらば新規にキーワードへ追加する（図６ステップＳ１２）。
【００４９】
制御回路部１８は修正した単語を新たに「表示用バッファ」へ格納し（図６ステップＳ１３）、再度、確認フォーム画面を表示する（図６ステップＳ４）。ユーザが任意の単語をキーワードへ追加する方法としては、上述した修正フォーム画面での入力方法以外にも、スケジュール機能からいつでも追加が可能となっている。
【００５０】
図７は本発明の一実施例によるキーワードの追加動作を説明するための図である。図７（ａ）はユーザがメニューからスケジュール機能を起動した画面である。ここで、ユーザがスケジュール画面の右下の「キーワード」キー［図２（ａ）のキー入力部１４の「Ｃ」キー］を押下すると、図７（ｂ）のカテゴリ選択画面へと遷移する。
【００５１】
ユーザは上下キー［図２（ａ）のキー入力部１４の「△」，「▽」キー］にてキーワードを追加したいカテゴリへカーソルを移動させ、カテゴリ選択画面の下中央の「追加」キー［図２（ａ）のキー入力部１４の「Ｂ」キー］を押下する。本実施例例では「目的カテゴリ」のキーワードを追加するものとする。
【００５２】
次に、図７（ｃ）のキーワード入力画面へ遷移したら、文字入力キー［図２（ａ）のキー入力部１４の「０」〜「９」及び「＊」，「＃」キー］にて所望の単語を入力してキーワード入力画面の下中央の「決定」キー［図２（ａ）のキー入力部１４の「Ｂ」キー］を押下する。ここで、入力した単語がキーワード群になかったら、その単語を新たにキーワードとして追加する。本実施例では、「映画」を「目的カテゴリ」のキーワードに追加している。
【００５３】
このように、本実施例では、電子メールの文章からスケジュールを作成する操作において、電子メール本文から予め登録したキーワードを抽出し、スケジュール登録に必要な情報を予め確認フォームの画面上に表示しておくことで、ユーザー操作をサポートし、キー入力動作を簡略化して手間を省くことができる。
【００５４】
また、本実施例では、上述したような簡易な操作で、異なった機能（例えば、電子メール機能やスケジュール機能等）同士の相互リンク（連携）を実現しているので、携帯電話機１のユーザビリティを高めることができる。ここで、簡単な操作とは、上述したように、搭載する機能を使用する際の画面を直前の画面を閉じてから表示する機器において、その表示内容とともに、各画面内のいずれか（例えば、画面の下側）に表示された各種キーを選択することで、画面の切替えを行うことである。
【００５５】
さらに、本実施例では、電子メール本文の検索に用いるキーワードに、ユーザが任意の単語を追加することを可能としているので、携帯電話機１の利便性を向上させている。
【００５６】
図８は本発明の他の実施例におけるメール画面と転送メール確認フォームの画面とを説明するための図である。尚、本発明の他の実施例による携帯電話機は上述した図１及び図２に示す本発明の一実施例による携帯電話機１と同様の構成となっている。
【００５７】
本発明の他の実施例では、受信メールの内容を誰かに転送する場合において、受信メールの本文を予め設定してあるキーワードで検索し、受信メールの本文を要約した形で転送用メールを作成している。
【００５８】
従来、転送用メールの作成方法としては、受信メールの本文を転送用メールにコピー＆ペーストして文章を編集するといった作業を行っているが、本実施例では、上述した電子メール機能とスケジュール機能との連携処理と同様の簡易な操作で、最初から要約されている転送用メールを作成することができる。
【００５９】
図８（ａ）は受信したメールの本文を表示している画面を表している。図８（ｂ）は転送用メールを作成する際の確認フォームの表示画面を表している。ここで、本実施例では、受信メールの内容を要約するのに必要な情報として“日時”、“人”、“場所”、“目的”の４項目を例としている。図８（ｃ）は作成される転送用メールの画面を表示している。
【００６０】
ユーザが図８（ａ）の表示画面において、この電子メールの内容を、電子メールにてほかの誰かに転送したい場合、表示画面の右下の「フォーム」に割り当てたキー［図２（ａ）のキー入力部１４の「Ｃ」キー］を押下すると、携帯電話機１の制御回路部１８は電子メールの本文を予め設定してあるキーワードで検索し、その結果を図８（ｂ）の確認フォーム画面へ表示する。ここで、キーワードは記憶装置１７にデフォルトで登録されており、ユーザ操作で任意の単語をキーワードとして追加することが可能となっている。
【００６１】
ユーザが確認フォーム画面に表示された内容で転送用メールを作成したい場合、図８（ｂ）の確認フォーム画面の左下の「作成」に割り当てたキー［図２（ａ）のキー入力部１４の「Ａ」キー］を押下する。すると、制御回路部１８は、図８（ｃ）の新規メールの表示画面へ遷移させるので、ユーザは新規メールの表示画面の左下の「送信」に割り当てたキー［図２（ａ）のキー入力部１４の「Ａ」キー］を押下してメールを送信する。
【００６２】
また、ユーザが図８（ｂ）の確認フォーム画面から、再び、図８（ａ）の受信メールの表示画面へ戻りたい場合、確認フォーム画面の右下の「戻る」に割り当てたキー［図２（ａ）のキー入力部１４の「Ｃ」キー］を押下する。
【００６３】
また、図８（ｂ）の確認フォーム画面の下中央の「修正」に割り当てたキー［図２（ａ）のキー入力部１４の「Ｃ」キー］を押下した場合、制御回路部１８はは確認フォーム画面の内容を修正し、各カテゴリ毎に新たなキーワードを追加することが可能とにっている。その場合の動作としては、上述した電子メール機能とスケジュール機能とを連携する際の動作と同様とする。
【図面の簡単な説明】
【００６４】
【図１】本発明の一実施例による携帯電話機の内部構成例を示すブロック図である。
【図２】（ａ）は本発明の一実施例による携帯電話機を正面から見た図、（ｂ）は本発明の一実施例による携帯電話機を背面から見た図である。
【図３】本発明の一実施例におけるメール画面とスケジュール確認フォーム画面とを説明するための図である。
【図４】本発明の一実施例においてスケジュール確認フォームを作成する動作を説明するための図である。
【図５】本発明の一実施例においてスケジュール確認フォームを修正する動作を説明するための図である。
【図６】本発明の一実施例による携帯電話機の動作を示すフローチャートである。
【図７】本発明の一実施例によるキーワードの追加動作を説明するための図である。
【図８】本発明の他の実施例におけるメール画面と転送メール確認フォームの画面とを説明するための図である。
【符号の説明】
【００６５】
１  携帯電話機
１１  アンテナ
１２  レシーバ
１３  ＬＣＤ表示部
１４  キー入力部
１５  マイク
１６  カメラ
１７  記憶装置
１８  制御回路部
１９  外部記憶装置
２０  発光部
２１  ＭＳ赤外線装置
【図１】
2007079880.tif 000003
【図２】
2007079880.tif 000004
【図３】
2007079880.tif 000005
【図４】
2007079880.tif 000006
【図５】
2007079880.tif 000007
【図６】
2007079880.tif 000008
【図７】
2007079880.tif 000009
【図８】
2007079880.tif 000010